(57)【特許請求の範囲】
【請求項１】
所定方向に並ぶように配置された複数のコンクリート構造物の外水圧を受ける継目部分に配設され、継目部分からの漏水を防止する目地用可撓継手であって、
上記所定方向に隣り合うコンクリート構造物の継目部分を覆うように設けられる可撓性遮水シートと、
上記可撓性遮水シートの外水圧が作用する側とは反対側に配置され、該可撓性遮水シートの外水圧による膨れを抑制するための第１及び第２膨れ抑制用板状体と、
上記可撓性遮水シートの幅方向一端部を、上記所定方向に隣り合うコンクリート構造物の一方のコンクリート構造物に固定する第１止め付け部材と、
上記可撓性遮水シートの幅方向他端部を、上記所定方向に隣り合うコンクリート構造物の他方のコンクリート構造物に固定する第２止め付け部材とを備え、
上記第１膨れ抑制用板状体の端部は、上記一方のコンクリート構造物に対し上記第１止め付け部材により固定され、
上記第２膨れ抑制用板状体の端部は、上記他方のコンクリート構造物に対し上記第２止め付け部材により固定され、
上記第１及び第２膨れ抑制用板状体の固定側とは反対側の端部は、それぞれ、上記所定方向に隣り合うコンクリート構造物の継目部分を覆う部位まで延びるとともに、可撓性連結部材により互いに連結されていることを特徴とする目地用可撓継手。
【請求項２】
請求項１に記載の目地用可撓継手において、
上記上記可撓性遮水シートの幅方向の端部が上記第１及び第２膨れ抑制用板状体に固着されていることを特徴とする目地用可撓継手。
【請求項３】
所定方向に並ぶように配置された複数のコンクリート構造物の外水圧を受ける継目部分からの漏水を防止する漏水防止方法において、
上記所定方向に隣り合うコンクリート構造物の継目部分を覆う可撓性遮水シートの幅方向一端部を、上記所定方向に隣り合うコンクリート構造物の一方のコンクリート構造物に対して第１止め付け部材により固定し、該可撓性遮水シートの幅方向他端部を、上記所定方向に隣り合うコンクリート構造物の他方のコンクリート構造物に対して第２止め付け部材により固定する工程と、
上記可撓性遮水シートの外水圧による膨れを抑制する第１及び第２膨れ抑制用板状体を、該可撓性遮水シートの外水圧が作用する側とは反対側に配置し、それぞれ上記一方及び他方のコンクリート構造物に対して上記第１及び第２止め付け部材により固定する工程と、
上記第１及び第２膨れ抑制用板状体の固定側とは反対側の端部は、それぞれ、上記所定方向に隣り合うコンクリート構造物の継目部分を覆う部位まで延び、該第１及び第２膨れ抑制用板状体の固定側とは反対側の端部を可撓性連結部材により互いに連結する工程とを備えることを特徴とする漏水防止方法。
【発明の詳細な説明】
【技術分野】
【０００１】
本発明は、例えば水路等を構築する複数のコンクリート構造物間の止水を行うための目地用可撓継手及び目地からの漏水を防止する漏水防止方法に関するものである。
【背景技術】
【０００２】
従来から、例えば水路等は略矩形断面を有するコンクリート構造物（ボックスカルバート）を複数繋げて構築されている。このような構造の水路では、例えば、特許文献１、２に開示されているように、隣り合うコンクリート構造物の間からの漏水を防止するための継手が設置される場合がある。
【０００３】
特許文献１の継手は、隣り合うコンクリート構造物の間を覆う可撓性遮水シートを備えている。可撓性遮水シートの幅方向の一方の縁部は一方のコンクリート構造物に固定され、他方の縁部は他方のコンクリート構造物に固定されている。また、可撓性遮水シートには、所定値以上の引張力を受けたときに展開する折り返し部が設けられている。
【０００４】
また、特許文献２の継手は、波形の可撓性遮水シートと、可撓性遮水シートを水路内側から覆う一対のカバープレートとを備えており、カバープレートはコンクリート構造物に固定されている。
【０００５】
上記コンクリート構造物は、一般に、施工後、長い年月を経る間に地盤沈下等に起因して一方のコンクリート構造物が他方のコンクリート構造物から離れるように変位することがある。この場合、特許文献１の可撓性遮水シートでは折り返し部が展開し、特許文献２の可撓性遮水シートでは波形部分が延びてコンクリート構造物の変位を吸収することができる。
【先行技術文献】
【特許文献】
【０００６】
【特許文献１】特開平１０−１５９１６１号公報
【特許文献２】特開平１０−８８５４８号公報
【発明の概要】
【発明が解決しようとする課題】
【０００７】
ところで、水路内に水が流れていない状態で水路の外部に水が溜まることがある。こうなると、隣り合うコンクリート構造物の間には、水路の外側から内側へ水圧（外水圧）が作用する。特許文献１の可撓性遮水シートは大きな外水圧を受けると、本来、コンクリート構造物の変位を吸収するためのものである折り返し部が展開して水路内側へ大きく膨らむように無理に変形し、水路内の水の流れを阻害し、やがて損傷してしまうことが考えられる。
【０００８】
そこで、特許文献２のように可撓性遮水シートの内側を覆う一対のカバープレートを設けることが考えられるが、これらカバープレートの間には隙間があり、外水圧を受けた可撓性遮水シートはカバープレートの隙間から水路内側へ向けて大きく膨らんで損傷する恐れがある。
【０００９】
また、外水圧を受けた可撓性遮水シートは膨らもうとしてカバープレートを水路内側へ押し、これによってカバープレートが水路内側へ向けて折れるように変形することが考えられる。こうなると可撓性遮水シートが水路内側へ向けて大きく膨らんで損傷してしまう。
【００１０】
本発明は、かかる点に鑑みてなされたものであり、その目的とするところは、隣り合うコンクリート構造物の相対変位を許容しながら止水性を確保できるように可撓性遮水シートを設ける場合に、可撓性遮水シートが外水圧を受けても無理な変形が起こらないようにし、もって、可撓継手の耐久性を向上させることにある。
【課題を解決するための手段】
【００１１】
上記目的を達成するために、本発明では、可撓性遮水シートの外水圧による膨れを抑制する第１及び第２膨れ抑制用板状体を設け、第１及び第２膨れ抑制用板状体の固定側とは反対側の端部を互いに連結するか、又は、可撓性遮水シートに固定するようにした。
【００１２】
第１の発明は、所定方向に並ぶように配置された複数のコンクリート構造物の外水圧を受ける継目部分に配設され、継目部分からの漏水を防止する目地用可撓継手であって、
上記所定方向に隣り合うコンクリート構造物の継目部分を覆うように設けられる可撓性遮水シートと、
上記可撓性遮水シートの外水圧が作用する側とは反対側に配置され、該可撓性遮水シートの外水圧による膨れを抑制するための第１及び第２膨れ抑制用板状体と、
上記可撓性遮水シートの幅方向一端部を、上記所定方向に隣り合うコンクリート構造物の一方のコンクリート構造物に固定する第１止め付け部材と、
上記可撓性遮水シートの幅方向他端部を、上記所定方向に隣り合うコンクリート構造物の他方のコンクリート構造物に固定する第２止め付け部材とを備え、
上記第１膨れ抑制用板状体の端部は、上記一方のコンクリート構造物に対し上記第１止め付け部材により固定され、
上記第２膨れ抑制用板状体の端部は、上記他方のコンクリート構造物に対し上記第２止め付け部材により固定され、
上記第１及び第２膨れ抑制用板状体の固定側とは反対側の端部は、それぞれ、上記所定方向に隣り合うコンクリート構造物の継目部分を覆う部位まで延びるとともに、可撓性連結部材により互いに連結されていることを特徴とするものである。
【００１３】
この構成によれば、コンクリート構造物の継目部分に外水圧が作用した場合には、可撓性遮水シートが外水圧を受けて膨らもうとし、第１及び第２膨れ抑制用板状体に対して水路内側へ向かう力が作用する。このとき、第１及び第２膨れ抑制用板状体の端部同士が可撓性連結部材で連結されている場合には、第１及び第２膨れ抑制用板状体はそれらの端部が互いに離れる方向へ変形するのが抑制されるので、水路内側へ向かって変形しにくくなる。従って、可撓性遮水シートが膨らむのを第１及び第２膨れ抑制用板状体によって抑制することが可能になる。
【００１４】
また、隣り合うコンクリート構造物が相対変位した場合には、可撓性遮水シートが撓むことによって相対変位が許容される。このとき、可撓性連結部材を設けていた場合には、この連結部材も撓むので、コンクリート構造物の変位に追従できる。
【００１５】
第２の発明は、第１の発明において、上記上記可撓性遮水シートの幅方向の端部が上記第１及び第２膨れ抑制用板状体に固着されていることを特徴とするものである。
【００１６】
この構成によれば、可撓性遮水シートが外水圧を受けた際に、該可撓性遮水シートが水路内側へ向かって膨れると、可撓性遮水シートのプラスチックアンカー等による固定部から可撓性遮水シートが抜け出そうとするが、可撓性遮水シートの幅方向端部が膨れ抑制用板状体に固着されているので可撓性遮水シートの抜け出し力は膨れ抑制用板状体に分散される。この可撓性遮水シートの抜け出しは、コンクリート構造物への固定部間の中央部においてシートへの押え力が小さくなるため大きくなり易く、仮にシートが抜け出すと漏水に至るが、本発明では可撓性遮水シートが膨れ抑制用板状体に固着していることにより抜け出し力が分散され止水性が保たれる。
【００１７】
第３の発明は、所定方向に並ぶように配置された複数のコンクリート構造物の外水圧を受ける継目部分からの漏水を防止する漏水防止方法において、
上記所定方向に隣り合うコンクリート構造物の継目部分を覆う可撓性遮水シートの幅方向一端部を、上記所定方向に隣り合うコンクリート構造物の一方のコンクリート構造物に対して第１止め付け部材により固定し、該可撓性遮水シートの幅方向他端部を、上記所定方向に隣り合うコンクリート構造物の他方のコンクリート構造物に対して第２止め付け部材により固定する工程と、
上記可撓性遮水シートの外水圧による膨れを抑制する第１及び第２膨れ抑制用板状体を、該可撓性遮水シートの外水圧が作用する側とは反対側に配置し、それぞれ上記一方及び他方のコンクリート構造物に対して上記第１及び第２止め付け部材により固定する工程と、
上記第１及び第２膨れ抑制用板状体の固定側とは反対側の端部は、それぞれ、上記所定方向に隣り合うコンクリート構造物の継目部分を覆う部位まで延び、該第１及び第２膨れ抑制用板状体の固定側とは反対側の端部を可撓性連結部材により互いに連結する工程とを備えることを特徴とする。
【発明の効果】
【００１８】
本発明によれば、第１及び第２膨れ抑制用板状体の固定側とは反対側の端部を可撓性連結部材により互いに連結するようにしたので、外水圧を受けた可撓性遮水シートが膨らもうとした際に、第１及び第２膨れ抑制用板状体の変形を抑制することができる。これにより、可撓性遮水シートが大きく膨らむのを抑制できる。また、隣り合うコンクリート構造物が相対変位した場合には、可撓性遮水シート及び可撓性連結部材が撓むことによって各部に無理な力をかけずにコンクリート構造物の変位を許容させることができるので、可撓継手の耐久性を向上させることができる。
【図面の簡単な説明】
【００１９】
【図１】実施形態１にかかる目地用可撓継手を有する水路の断面図である。
【図２】図１におけるII−II線断面図である。
【図３】水路の拡大断面図である。
【図４】目地用可撓継手の施工要領を示す断面図である。
【図５】コンクリート構造物が変位し、かつ、外水圧が作用した場合の図３相当図である。
【図６】実施形態１の変形例１にかかる図３相当図である。
【図７】実施形態１の変形例１にかかる図５相当図である。
【図８】参考例にかかる図３相当図である。
【図９】参考例の変形例にかかる図３相当図である。
【図１０】実施形態２にかかる図３相当図である。
【発明を実施するための形態】
【００２０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２１】
（実施形態１）
図１は、本発明の実施形態１にかかる目地用可撓継手１を備えた水路Ａの一部を示すものである。この水路Ａは、複数のコンクリート構造物（ボックスカルバート）Ｂ１，Ｂ２を所定方向に並べて構成されたコンクリート製水路である。各コンクリート構造物Ｂ１，Ｂ２は、略矩形の閉断面を有しており、地面に埋め込まれている。従って、コンクリート構造物Ｂ１，Ｂ２の外側には土砂が存在している。コンクリート構造物Ｂ１，Ｂ２の間の継目部分の止水目地材が劣化したり、またはコンクリート構造物Ｂ１，Ｂ２が変位して止水目地材が損傷すると、水路Ａの外部の土砂が水を含んだ場合に、コンクリート構造物Ｂ１，Ｂ２の外側から内側へ水圧（外水圧）が作用して漏水の原因となることがある。
【００２２】
図２に示すように、目地用可撓継手１は、隣り合うコンクリート構造物Ｂ１，Ｂ２の継目部分からの漏水を防止するためのものであり、各継目部分にそれぞれ配設されている。目地用可撓継手１は、水路Ａ内の水が継目部分から外部へ漏れるのを防止するととともに、水路Ａの外部に溜まった水が継目部分から内部へ浸入するのも防止するように構成されている。
【００２３】
目地用可撓継手１は、水路Ａの継目部分が劣化したり損傷した場合にも使用することができるものであり、全体として水路Ａの周方向に延びる長尺状に形成され、水路Ａの周方向に連続するように配設される。
【００２４】
この目地用可撓継手１は、可撓性遮水シート５と、可撓性遮水シート５をコンクリート構造物Ｂ１，Ｂ２の内側から覆って該可撓性遮水シート５の外水圧による膨れを抑制するための第１及び第２膨れ抑制用板状体１０，２０と、可撓性遮水シート５及び膨れ抑制用板状体１０，２０をコンクリート構造物Ｂ１，Ｂ２にそれぞれ固定するための第１及び第２止め付け部材３０，３１と、第１及び第２膨れ抑制用板状体１０，２０を連結するための可撓性連結部材４０と、不定形シーリング材５０とを備えている。
【００２５】
図３に拡大して示すように、可撓性遮水シート５は、例えば水を透過させないゴム系又は熱可塑性エラストマー系材料よりなればよいが、好ましくは軟質塩化ビニル樹脂、塩化ビニル系エラストマー、オレフィン系エラストマー、スチレン系エラストマー、ウレタン系エラストマー等からなる群より選ばれる材質のものである。
【００２６】
図２に示すように、可撓性遮水シート５は、一方のコンクリート構造物Ｂ１の縁部から他方のコンクリート構造物Ｂ２の縁部に亘って延び、さらに、水路Ａの周方向に長く延びている。図３に示すように、可撓性遮水シート５の幅方向の一方の縁部は、一方のコンクリート構造物Ｂ１の縁部に固定される第１定着部５ａとされ、また、他方の縁部は、他方のコンクリート構造物Ｂ２の縁部に固定される第２定着部５ｂとされている。
【００２７】
可撓性遮水シート５の第１及び第２定着部５ａ，５ｂの間には、一方のコンクリート構造物Ｂ１と他方のコンクリート構造物Ｂ２との相対変位を許容するための余長部５ｃが設けられている。余長部５ｃとは、第１及び第２定着部５ａ、５ｂをコンクリート構造物Ｂ１，Ｂ２にそれぞれ固定した直後（施工直後）に余って弛んでいる部分であり、本実施形態のように弛ませたままでもよいし、図示しないが折り畳んでもよい。
【００２８】
第１膨れ抑制用板状体１０は、鋼板と、鋼板の少なくとも片面に軟質塩化ビニル樹脂又は熱可塑性エラストマーを積層してなる被覆層とを有する積層鋼板である。第１膨れ抑制用板状体１０は、一方のコンクリート構造物Ｂ１に固定される固定部１１と、固定部１１から他方のコンクリート構造物Ｂ２側へ向かって延び、上記可撓性遮水シート５を覆う覆い部１２とを有している。被覆層は、水路Ａ内側に露出するように位置している。
【００２９】
固定部１１は、積層鋼板の幅方向（図３の左右方向）の一側（図３の左側）を所定幅だけ折り曲げて形成されており、積層鋼板の２枚分の厚みを有している。このように折り曲げて固定部１１を構成することで、固定部１１の水路Ａ内側に向く面と外側に向く面の両方が被覆層で覆われることになる。
【００３０】
固定部１１の水路Ａ外側に向く面は、例えば溶剤、熱、接着剤等によって可撓性遮水シート５に固着されている。
【００３１】
覆い部１２は、水路Ａ内面と略平行に平板状に延びている。覆い部１２と、水路Ａの内面との間には、可撓性遮水シート５を弛ませた状態で配設することができる程度の隙間が形成されるようになっている。覆い部１２の先端部（図３における右端部）は、コンクリート構造物Ｂ１，Ｂ２の継目部分に対応する位置まで延びている。
【００３２】
また、第２膨れ抑制用板状体２０は、第１膨れ抑制用板状体１０と同様に積層鋼板を折り曲げて構成されており、他方のコンクリート構造物Ｂ２に固定される固定部２１と、可撓性遮水シート５を覆う覆い部２２とを備えている。この第２膨れ抑制用板状体２０の先端部（図３における左端部）も、コンクリート構造物Ｂ１，Ｂ２の継目部分に対応する位置まで延びており、第１膨れ抑制用板状体１０の先端部とは離れている。可撓性遮水シート５は、第１膨れ抑制用板状体１０及び第２膨れ抑制用板状体２０によって大部分が覆われている。
【００３３】
第１膨れ抑制用板状体１０及び第２膨れ抑制用板状体２０は、可撓性遮水シート５が大きく膨らむのを抑制するためのものであるので、高い剛性を有している。
【００３４】
可撓性連結部材４０は、第１及び第２膨れ抑制用板状体１０，２０の水路Ａ内側に配置され、該膨れ抑制用板状体１０，２０の先端部同士を連結して両先端部が互いに離れるのを抑制するためのものである。可撓性連結部材４０は、可撓性遮水シート５と同様な材料で構成された長尺のシート状部材であり、第１膨れ抑制用板状体１０の先端部に固定される第１固定部４１と、第２膨れ抑制用板状体２０の先端部に固定される第２固定部４２とを有している。第１及び第２固定部４１，４２の固定方法としては、例えば溶剤、熱、接着剤等で接着する方法が挙げられるが、これに限られるものではない。
【００３５】
可撓性連結部材４０における第１固定部４１と第２固定部４２との間の部位は、幅方向への引張力が作用した際に伸長する伸長部４３とされている。この引張力とは、コンクリート構造物Ｂ１，Ｂ２が地盤沈下等で相対変位して生じる大きな力のことであり、後述する外水圧によって可撓性遮水シート５が膨らもうとする場合のように比較的小さな力では殆ど伸長しない。
【００３６】
次に、上記のように構成された目地用可撓継手１を水路Ａに設置する方法（漏水防止方法）について図４に基づいて説明する。
【００３７】
コンクリート構造物Ｂ１，Ｂ２は既に設置されているものとし、これらの間には継目部分がある。
【００３８】
まず、一方及び他方のコンクリート構造物Ｂ１，Ｂ２の内面における縁部近傍に、プライマーを塗布してプライマー層Ｐ（図４にのみ示す）を形成した後、プライマー層Ｐの上に不定形シーリング材５０を塗布する。不定形シーリング材５０は、ウレタン系、シリコン系、変成シリコン系、エポキシ系、アクリル系、ブチルゴム系、チオコール系等の不定形のコーキング材、シール材等からなる群より選ばれる材質のものを用いることができる。不定形シーリング材５０は、目地用可撓継手１の一部を構成する構成物である。
【００３９】
また、可撓性遮水シート５の第１定着部５ａに第１膨れ抑制用板状体１０の固定部１１を固定し、可撓性遮水シート５の第２定着部５ｂに第２膨れ抑制用板状体２０の固定部２１を固定する。このとき可撓性遮水シート５には余長部５ｃができるように固定位置を設定する。
【００４０】
また、可撓性連結部材４０の第１固定部４１を第１膨れ抑制用板状体１０の先端側に固定し、可撓性連結部材４０の第２固定部４２を第２膨れ抑制用板状体２０の先端側に固定する。これにより、第１及び第２膨れ抑制用板状体１０，２０の先端側同士が可撓性連結部材４０により連結される。つまり、この工程は、第１及び第２膨れ抑制用板状体１０，２０の固定側とは反対側の端部を、可撓性連結部材４０により互いに連結する工程である。
【００４１】
その後、不定形シーリング材５０に可撓性遮水シート５の第１定着部５ａ及び第２定着部５ｂを押し付けるようにして埋め込む。これにより、第１及び第２膨れ抑制用板状体１０，２０に長手方向の継目がある場合でも止水性を維持できる。
【００４２】
しかる後、例えばハンマードリルを用いて第１膨れ抑制用板状体１０の固定部１１、可撓性遮水シート５の第１定着部５ａ、不定形シーリング材５０に貫通孔をあけるとともに、一方のコンクリート構造物Ｂ１に下穴（図示せず）をあける。また、同様にして、第２膨れ抑制用板状体２０の固定部２１、可撓性遮水シート５の第２定着部５ｂ、不定形シーリング材５０に貫通孔をあけるとともに、他方のコンクリート構造物Ｂ２に下穴（図示せず）をあける。
【００４３】
次いで、第１膨れ抑制用板状体１０の固定部１１、可撓性遮水シート５の第１定着部５ａ及び不定形シーリング材５０にプラスチックアンカー等の第１止め付け部材３０を挿入し、さらにその第１止め付け部材３０を一方のコンクリート構造物Ｂ１の下穴に叩き込み、第１膨れ抑制用板状体１０の固定部１１、可撓性遮水シート５の第１定着部５ａを一方のコンクリート構造物Ｂ１に固定する。
【００４４】
さらに、第２膨れ抑制用板状体２０の固定部２１、可撓性遮水シート５の第２定着部５ｂ及び不定形シーリング材５０に同様な第２止め付け部材３１を挿入し、さらにその第２止め付け部材３１を他方のコンクリート構造物Ｂ２の下穴に叩き込み、第２膨れ抑制用板状体２０の固定部２１、可撓性遮水シート５の第２定着部５ｂを他方のコンクリート構造物Ｂ２に固定する。
【００４５】
以上の工程が、隣り合うコンクリート構造物Ｂ１，Ｂ２の継目部分を覆うように可撓性遮水シート５を配置し、可撓性遮水シート５の幅方向一端部を一方のコンクリート構造物Ｂ１に対して第１止め付け部材３０により固定し、可撓性遮水シート５の幅方向他端部を他方のコンクリート構造物Ｂ２に対して第２止め付け部材３１により固定する工程と、可撓性遮水シート５の外水圧による膨れを抑制する第１及び第２膨れ抑制用板状体１０，２０を、それぞれ一方及び他方のコンクリート構造物Ｂ１，Ｂ２に対して第１及び第２止め付け部材３０，３１により固定する工程である。
【００４６】
尚、第１及び第２止め付け部材３０，３１は、プラスチックアンカーに限られるものではなく、例えば、スクリューネジ等であってもよく、スクリューネジの場合には下穴にねじ込むことによって固定する。
【００４７】
また、可撓性遮水シート５をコンクリート構造物Ｂ１，Ｂ２に固定した後に、第１及び第２膨れ抑制用板状体１０，２０をコンクリート構造物Ｂ１，Ｂ２に固定してもよい。
【００４８】
以上のようにして目地用可撓継手１の設置が完了すると、水路Ａ内の水は可撓性遮水シート５が設けられていることによって外部へ漏れることはない。
【００４９】
次に、図５に示すように例えば地盤沈下等によって一方のコンクリート構造物Ｂ１（または他方のコンクリート構造物Ｂ２）が他方のコンクリート構造物Ｂ２（または一方のコンクリート構造物Ｂ１）から水路Ａの延びる方向に離れるように変位した場合について説明する。
【００５０】
この場合、可撓性遮水シート５の第１定着部５ａと第２定着部５ｂとが幅方向に引っ張られることになる。このとき余長部５ｃが張ることになるので、第１定着部５ａと第２定着部５ｂには無理な力がかからない。また、余長部５ｃが撓むことによってもコンクリート構造物Ｂ１，Ｂ２の相対変位が許容される。
【００５１】
また、第１膨れ抑制用板状体１０と第２膨れ抑制用板状体２０とが互いに離れる方向に引っ張られる。このとき、第１及び第２膨れ抑制用板状体１０，２０が可撓性連結部材４０で連結されているが、この可撓性連結部材４０は上述のように地盤変動のような大きな引張力を受けた場合には伸長部４３が伸長する。これにより、各部にかかる力が低減され、コンクリート構造物Ｂ１，Ｂ２の変位が許容される。また、隣り合うコンクリート構造物Ｂ１，Ｂ２が傾くように変位したり、上下方向に変位した場合には、伸長部４３が撓むことによっても、それらコンクリート構造物Ｂ１，Ｂ２の変位が許容される。
【００５２】
次に、例えば農閑期のように水路Ａ内に水が無い状態で、水路Ａの外部に水が溜まった場合について説明する。水路Ａの外部の水は、継目部分を通って水路Ａの内側へ浸入していき、可撓性遮水シート５に外水圧が作用する。外水圧を受けた可撓性遮水シート５は、水路Ａ内側へ向けて膨らもうとする。
【００５３】
外水圧が比較的低い場合には、高剛性な第１及び第２膨れ抑制用板状体１０，２０によって可撓性遮水シート５の水路Ａ内側を覆っているので、可撓性遮水シート５が大きく膨らむのが抑制される。
【００５４】
外水圧が高い場合には、可撓性遮水シート５が膨らもうとする力が大きくなり、第１及び第２膨れ抑制用板状体１０，２０を水路Ａ内側へ向けて強く押すことになる。このとき、第１及び第２膨れ抑制用板状体１０，２０は基端側がコンクリート構造物Ｂ１，Ｂ２に固定されているので、第１及び第２膨れ抑制用板状体１０，２０の先端側同士が開こうとするが、第１及び第２膨れ抑制用板状体１０，２０の先端側同士は可撓性連結部材４０によって連結されていて開くのが抑制されている。よって、第１及び第２膨れ抑制用板状体１０，２０が水路Ａ内側へ向けて変形しにくくなり、これにより、可撓性遮水シート５が大きく膨らむのが抑制される。
【００５５】
以上説明したように、この実施形態にかかる目地用可撓継手１によれば、第１及び第２膨れ抑制用板状体１０．２０の先端部を可撓性連結部材４０により互いに連結したので、外水圧を受けた可撓性遮水シート５が膨らもうとした際に、第１及び第２膨れ抑制用板状体１０，２０の変形を抑制することができる。これにより、可撓性遮水シート５が大きく膨らむのを抑制できる。また、隣り合うコンクリート構造物Ｂ１，Ｂ２が相対変位した場合には、可撓性遮水シート５及び可撓性連結部材４０が撓むことによって各部にかかる力が低減されてコンクリート構造物Ｂ１，Ｂ２の変位を許容させることができるので、可撓継手１の耐久性を向上させることができる。
【００５６】
図６に示す変形例１のように、第１及び第２膨れ抑制用板状体１０，２０に突条部１３，２３をそれぞれ形成してもよい。突条部１３は、第１膨れ抑制用板状体１０の固定部１１と覆い部１２との境界部分近傍に設けられており、水路Ａ内側へ突出して水路Ａの周方向に延びている。この突条部１３を形成することにより、例えば図７に示すように外水圧が作用した際に、第１膨れ抑制用板状体１０の覆い部１２が水路Ａ内側に変形しようとした際に覆い部１２のみを変形させて固定部１１には無理な力がかからないようにすることができる。第２膨れ抑制用板状体２０の突条部２３も同様である。
【００５７】
（参考例）
図８は、参考例にかかる目地用可撓継手１を示すものである。この参考例では、可撓性遮水シート５の配設位置が実施形態１とは異なっている。以下、実施形態１と異なる部分について詳細に説明する。
【００５８】
すなわち、参考例では、可撓性遮水シート５が、第１及び第２膨れ抑制用板状体１０，２０よりも水路Ａ内側に配設されている。また、第１及び第２膨れ抑制用板状体１０，２０には、突条部１４，２４がそれぞれ設けられている。突条部１４は、第１膨れ抑制用板状体１０の固定部１１近傍において水路Ａ内面に接触するように突出しており、水路Ａの周方向に連続している。この突条部１４は、実施形態１の変形例の突条部１３と同様に固定部１１に無理な力がかかるのを抑制するためのものである。第２膨れ抑制用板状体２０の突条部２４も同様である。
【００５９】
可撓性遮水シート５の第１定着部５ａは第１膨れ抑制用板状体１０の固定部１１に固定されている。また、可撓性遮水シート５の第２定着部５ｂは第２膨れ抑制用板状体２０の固定部２１に固定されている。
【００６０】
また、可撓性遮水シート５の幅方向中間部は、第１膨れ抑制用板状体１０の先端側に接着により固定されており、その接着部分を符号５ｄで示す。さらに、可撓性遮水シート５の幅方向中間部は、第２膨れ抑制用板状体２０の先端側に接着により固定されており、その接着部分を符号５ｅで示す。可撓性遮水シート５の接着部５ｄと接着部５ｅとの間は、可撓性遮水シート５の幅方向に引張力を受けた際に伸長する伸長部５ｆとされている。
【００６１】
この引張力とは、コンクリート構造物Ｂ１，Ｂ２が地盤沈下等で相対変位して生じる大きな力のことである。
【００６２】
尚、図８においてクロスハッチングを付している部分は可撓性遮水シート５の第１及び第２膨れ抑制用板状体１０，２０への接着部分である。
【００６３】
参考例においても実施形態１と同様な要領で目地用可撓継手１を水路Ａに設置することができる。
【００６４】
次に、コンクリート構造物Ｂ１，Ｂ２が相対変位した場合について説明する。この場合、可撓性遮水シート５の第１定着部５ａと第２定着部５ｂとが幅方向に引っ張られることになる。このとき伸長部５ｆが伸長するので、第１定着部５ａと第２定着部５ｂにかかる力を低減できる。また、伸長部５ｆが撓むことによってもコンクリート構造物Ｂ１，Ｂ２の相対変位が許容される。
【００６５】
また、第１膨れ抑制用板状体１０と第２膨れ抑制用板状体２０とが互いに離れる方向に引っ張られる。このとき、第１及び第２膨れ抑制用板状体１０，２０の先端側同士が可撓性遮水シート５で連結されているが、この可撓性遮水シート５は地盤変動のような大きな引張力を受けた場合には伸長部５ｆが伸長するので、かかる力を低減でき、コンクリート構造物Ｂ１，Ｂ２の変位が許容される。
【００６６】
次に、例えば農閑期のように水路Ａ内に水が無い状態で、水路Ａの外部に水が溜まった場合について説明する。水路Ａの外部の水は、継目部分を通って水路Ａの内側へ浸入していき、可撓性遮水シート５に外水圧が作用する。外水圧を受けた可撓性遮水シート５は、水路Ａ内側へ向けて膨らもうとする。
【００６７】
外水圧が比較的低い場合には、高剛性な第１及び第２膨れ抑制用板状体１０，２０と可撓性遮水シート５とが接着されているので、可撓性遮水シート５が大きく膨らむのが抑制される。
【００６８】
外水圧が高い場合には、可撓性遮水シート５が膨らもうとする力が大きくなり、第１及び第２膨れ抑制用板状体１０，２０が水路Ａ内側へ向けて強く押されることになる。このとき、第１及び第２膨れ抑制用板状体１０，２０の先端側同士は可撓性遮水シート５によって連結されていて開くのが抑制されている。よって、第１及び第２膨れ抑制用板状体１０，２０が水路Ａ内側へ向けて変形しにくくなり、これにより、可撓性遮水シート５が大きく膨らむのが抑制される。
【００６９】
以上説明したように、この参考例にかかる目地用可撓継手１によれば、第１及び第２膨れ抑制用板状体１０，２０の先端部を可撓性遮水シート５により互いに連結したので、外水圧を受けた可撓性遮水シート５が膨らもうとした際に、第１及び第２膨れ抑制用板状体１０，２０の変形を抑制することができる。これにより、可撓性遮水シート５が大きく膨らむのを抑制できる。また、隣り合うコンクリート構造物Ｂ１，Ｂ２が相対変位した場合には、可撓性遮水シート５が撓むことによってかかる力を低減でき、コンクリート構造物Ｂ１，Ｂ２の変位を許容させることができるので、可撓継手１の耐久性を向上させることができる。
【００７０】
図９に示す変形例のように、可撓性遮水シート５を第１膨れ抑制用板状体１０の全面に接着し、また、第２膨れ抑制用板状体２０の全面に接着するようにしてもよい。これにより、可撓性遮水シート５と第１及び第２膨れ抑制用板状体１０，２０とを強固に一体化することができる。
【００７１】
また、第１及び第２膨れ抑制用板状体１０，２０を水路Ａの周方向に連続させていれば、第１及び第２膨れ抑制用板状体１０，２０の端部の接着部分５ｄ，５ｅを可撓性連結部材で連結することにより遮水効果を得ることができ、同様な目地用可撓継手とすることができる。
【００７２】
（実施形態２）
図１０は、本発明の実施形態２にかかる目地用可撓継手１の接合部分を示すものである。この実施形態２では、可撓性遮水シートが二重構造となっている点で実施形態１とは異なっている。以下、実施形態１と異なる部分について詳細に説明する。
【００７３】
実施形態２では、実施形態１の可撓性遮水シート５の水路Ａ外側に接合用補助シート６を設けており、図１に示す施工例のように筒状に成型する場合のジョイント部分を遮水効果を有しながら連結できる。
【００７４】
接合用補助シート６は、可撓性遮水シート５と重なるように配置されており、一方のコンクリート構造物Ｂ１の縁部に固定される第１定着部６ａと、他方のコンクリート構造物Ｂ２の縁部に固定される第２定着部６ｂと、余長部６ｃとを備えている。
【００７５】
可撓性遮水シート５と接合用補助シート６とを溶剤溶着や熱溶着することにより、簡単な作業で遮水効果を得ることができ、作業性に優れる。
【００７６】
この実施形態２では、実施形態１と同様な方法によって目地用可撓継手１を水路Ａに設けることができる。
【産業上の利用可能性】
【００７７】
以上説明したように、本発明にかかる目地用可撓継手は、例えば水路等を構築する複数のコンクリート構造物間の止水を行う場合に用いることができる。
【符号の説明】
【００７８】
１            目地用可撓継手
５            可撓性遮水シート
５ａ          第１定着部
５ｂ          第２定着部
５ｃ          余長部
１０          第１膨れ抑制用板状体
１１          固定部
２０          第２膨れ抑制用板状体
２１          固定部
３０          第１止め付け部材
３１          第２止め付け部材
４０          可撓性連結部材
Ｂ１，Ｂ２    コンクリート構造物
【図１】
0005979903.tif 000002
【図２】
0005979903.tif 000003
【図３】
0005979903.tif 000004
【図４】
0005979903.tif 000005
【図５】
0005979903.tif 000006
【図６】
0005979903.tif 000007
【図７】
0005979903.tif 000008
【図８】
0005979903.tif 000009
【図９】
0005979903.tif 000010
【図１０】
0005979903.tif 000011